(57)【特許請求の範囲】
【請求項１】
建物内に、各居室のキーがそれぞれ収納されてそれぞれふたで閉塞されたキー収納部と、人体の特徴点を読み取るリーダと、人為的に操作されるテンキーとが設置され、居住者が上記リーダに入力した人体の特徴点データと、あらかじめ登録された人体の特徴点とを照合して、両者が一致すれば上記テンキーから入力された信号に対応する上記キー収納部のふたを開く装置において、上記建物外部に、人が操作することにより緊急信号を出力する緊急信号発生器を設け、上記緊急信号が出力された状態で、上記緊急信号発生器を操作した人が上記リーダに上記人体の特徴点データを入力すると、上記居住者の人体の特徴点データの照合とは関係なく、上記テンキーから入力された信号に対応する上記キー収納部のふたを開く緊急開放手段を備えたことを特徴とする建物の警備装置。
【請求項２】
建物又は居室の扉の近傍にそれぞれ指紋照合器が設置され、この指紋照合器により居住者が入力した人体の特徴点データと、あらかじめ登録された人体の特徴点とを照合して、両者が一致すれば上記建物又は居室の扉を開く装置において、上記建物又は居室の扉の近傍に人が操作することにより緊急信号を出力する緊急信号発生器を設け、上記緊急信号が出力された状態で、上記指紋照合器により上記緊急信号発生器を操作した人が上記人体の特徴点データを入力すると、上記居住者の人体の特徴点データの照合とは関係なく、上記建物又は居室の扉を開く緊急開放手段を備えたことを特徴とする建物の警備装置。
【請求項３】
緊急信号発生器を、居住者以外の者が専用キーを用いてふたを開いて操作する緊急スイッチとしたことを特徴とする請求項１又は請求項２記載の建物の警備装置。
【請求項４】
緊急信号発生器を、テンキー又は識別カードとしたことを特徴とする請求項１又は請求項２記載の建物の警備装置。
【請求項５】
緊急信号発生器を操作した人が入力した人体の特徴点データ及びその入力時点を記憶する緊急操作者情報記憶手段を設けたことを特徴とする請求項１又は請求項２記載の建物の警備装置。
【請求項６】
建物又は居室に人が侵入すると動作する侵入センサを設け、緊急開放手段は、侵入センサが動作した上記建物又は居室に対してだけ動作するものとしたことを特徴とする請求項１又は請求項２記載の建物の警備装置。
【発明の詳細な説明】
【０００１】
【発明の属する技術分野】
この発明は、指紋等の人体特徴点の照合を利用して、建物の警備をする装置に関するものである。
【０００２】
【従来の技術】
建物への入退室を管理するため、各居室の扉のキーを収納するキー収納箱が設置される場合がある。このキー収納箱には、例えば特開昭６１−１８３５８２号公報に示されているように、各居室ごとのキーをそれぞれ収納する収納部とカードリーダとが設けられている。そして、居住者は自分が所持する識別カードを、カードリーダに操作して、これが「正」と判定されると、収納部のふたが開いて、収納されているキーを取り出したり、収納部にキーを返却したりする。
【０００３】
また、建物及び居室には、侵入センサが設置されており、無人になった建物又は居室に人が侵入すると、上記侵入センサが動作して、侵入発生を警備会社へ自動通報するようになっている。そして、通報を受けた警備会社では、この建物に該当する識別カードを持った警備員を現地に急行させ、警備員は所持した識別カードをカードリーダに操作してキー収納部のふたを開いてキーを取り出し、侵入の発生した居室へ向かうことになる。
【０００４】
【発明が解決しようとする課題】
上記のような従来の建物の警備装置では、侵入発生時警備員が識別カードを操作してキー収納部のふたを開いているが、更に警備性を高めるため、カードリーダの代わりに居住者の指紋を照合して本人と識別されると、キー収納部のふたを開くようにするものも用いられている。しかし、この場合現地へ到着した警備員の指紋は、当然居住者の指紋とは異なっているため、キーを取り出すことはできないという問題点がある。
【０００５】
また、建物又は居室の扉の近傍に指紋照合器を設置し、居住者が指紋を照合して本人と判別されると、建物又は居室の扉を解錠するようにした警備装置も実用されているが、この場合も上記と同様に、侵入発生時警備員では扉の解錠ができないという問題点がある。
【０００６】
この発明は上記問題点を解消するためになされたもので、指紋照合を利用した場合でも、居住者とは無関係の警備員が、キー収納部のふたを開いたり、建物又は居室の扉を開いたりすることができるようにした建物の警備装置を提供することを目的とする。
【０００７】
【課題を解決するための手段】
この発明の第１発明に係る建物の警備装置は、建物外部の緊急信号発生器が操作されて緊急信号が出力された後に、緊急信号発生器を操作した人の人体の特徴点データが入力されると、居住者の人体の特徴点データの照合とは関係なく、テンキーから入力された信号に対応するキー収納部のふたを開くようにしたものである。
【０００８】
また、第２発明に係る建物の警備装置は、建物又は居室の扉の近傍の緊急信号発生器が操作されて緊急信号が出力された後に、緊急信号発生器を操作した人の人体の特徴点データが入力されると、居住者の人体の特徴点データの照合とは関係なく、建物又は居室の扉を開くようにしたものである。
【０００９】
また、第３発明に係る建物の警備装置は、第１又は第２発明のものにおいて、緊急信号発生器を、居住者以外の者が専用キーを用いてふたを開いて操作する緊急スイッチとしたものである。
【００１０】
また、第４発明に係る建物の警備装置は、第１又は第２発明のものにおいて、緊急信号発生器をテンキー又は識別カードとしたものである。
【００１１】
また、第５発明に係る建物の警備装置は、第１又は第２発明のものにおいて、緊急信号発生器を操作した人が入力した人体の特徴点データ及びその入力時点を記憶するようにしたものである。
【００１２】
また、第６発明に係る建物の警備装置は、第１又は第２発明のものにおいて、侵入センサが動作した建物又は居室に対してだけ、緊急開放するようにしたものである。
【００１３】
【発明の実施の形態】
実施の形態１．
図１〜図７はこの発明の第１、第３、第５及び第６発明の一実施の形態を示す図で、図１は建物の１階平面図、図２は建物の側面断面図、図３はキー収納箱の斜視図、図４はブロック線図、図５は通常時の入館動作フローチャート、図６及び図７はキー収納箱の動作フローチャートであり、図中同一符号は同一部分を示す。
【００１４】
図１及び図２において、１〜４はそれぞれ１階〜４階の居室、１Ａ〜１Ｄはそれぞれ居室１〜４の出入口の扉が開かれたり、窓ガラスが破壊されたりすると動作する侵入センサ、５は１階から２階に通じる階段、６は１階玄関の扉、７は１階の居室１の扉、８は電気的に解錠される電気錠を有する１階の通用口の扉、９は建物内に設けられ通用口近傍に配置され、各居室１〜４の扉のキーを収納するキー収納箱、１０は建物外に設けられ、通用口近傍に配置された指紋照合器、１１は指紋照合器１０の近傍に配置され、専用キーで施錠・解錠されるスイッチ箱に収納された緊急スイッチであり、緊急信号発生器を構成している。
【００１５】
図３において、１２Ａ〜１２Ｄはそれぞれ１階〜４階の各居室１〜４の扉を開閉するキーが収納されたキー収納部で、各キー収納部１２Ａ〜１２Ｄごとにふたが設けられている。このふたは閉塞されるとロックされ、電気的にロックが解除されると開放するように構成されている。１３は指紋を読み取る指紋リーダ、１４はテンキー、１５はキー収納箱９の使用に伴う各種の情報を表示する表示器である。
【００１６】
図４において、２１は通信装置、２２はＣＰＵ、２３はＲＯＭ、２４はＲＡＭ、２５は万年時計、２６はキー収納部１２Ａ〜１２Ｄのふたのロックを解除するキーロック解除装置、２７は伝送インタフェース、２８はインタフェースである。ここで、通信装置２１は電話回線２９を介して警備会社に接続されている。またインタフェース２８は各キー収納部１２Ａ〜１２Ｄにキーが収納されているとオンし、キーを取り出すとオフするキー収納検出スイッチ１２Ａａ〜１２Ｄａ、侵入センサ１Ａ〜１Ｄ及び緊急スイッチ１１が接続されている。
【００１７】
３１は伝送インタフェース、３２はＣＰＵ、３３はＲＯＭ、３４はＲＡＭ、３５は指紋リーダ、３６は表示器、３７はインタフェースであり、伝送インタフェース３１はキー収納箱９の伝送インタフェース２７に接続され、インタフェース３７は通用口の扉８の電気錠３８に接続されている。
【００１８】
次に、この実施の形態の動作を図５〜図７を参照して説明する。
Ａ  通常時の通用口からの入館動作（図５）
今、通用口の扉８は閉塞され、施錠されているものとし、居住者の指紋は指紋照合器１０のＲＡＭ３４に登録されているものとする。
ステップＳ１で指紋照合器１０の指紋リーダ３５は指紋をリードするのを待つ。指紋をリードすると、ステップＳ２へ進みＣＰＵ３２はＲＯＭ３３に記憶されたプログラムに従って指紋の合否を判断する。すなわち、リードした指紋とあらかじめ登録された指紋とを照合して、両者の一致・不一致を判断する。
【００１９】
照合結果が一致であれば、ステップＳ３で表示器３６にＯＫ表示をして、ステップＳ４で電気錠３８へ一時解錠信号を出力する。これで、ステップＳ５で電気錠３８は一定時間解錠し、居住者は扉８を開いて建物内へ入ることができる。照合不一致であれば、ステップＳ２からステップＳ６へ進み、表示器３６にＮＧ表示をするとともに、ステップＳ１へ戻る。
【００２０】
Ｂ  通常時のキー収納箱の動作（図６）
居住者の指紋はキー収納箱９のＲＡＭ２４に登録されているものとする。
ステップＳ１１で指紋リーダ１３は指紋をリードするのを待つ。指紋をリードすると、ステップＳ１２へ進みＣＰＵ２２はＲＯＭ２３に記憶されたプログラムに従って既述と同様に、指紋を照合して、両者の一致・不一致を判断する。照合結果が一致であれば、ステップＳ１３で表示器１５にＯＫ表示をして、ステップＳ１４へ進み、不一致であれば、ステップＳ１５で表示器１５にＮＧ表示をして、ステップＳ１１へ戻る。
【００２１】
ステップＳ１４でテンキー１４を操作して該当するキー収納番号ｎ（ｎは１〜４）を入力する。この操作によりステップＳ１６でキーロック解除装置２６が動作し、該当するキー収納部１２ｎ（ｎはＡ〜Ｄ）のふたのロックが解除されて、ふたが開く。ステップＳ１７でキーを取り出したかを判断する。このとき、キーが収納されていて、居住者が自室のキーを取り出すと、キー収納検出スイッチ１２ｎａはオフとなり、ステップＳ１８で居室ｎの侵入監視を終了してステップＳ１１へ戻る。
【００２２】
つまり、キーをキー収納部１２ｎから取り出すことは、居住者がキーを使って居室ｎに入ることを意味するので、それまで実施されていた侵入監視を終了するものである。
次に、キー収納部１２ｎにキーが収納されておらず、ステップＳ１７でキーを取り出していないと判断すると、ステップＳ１９へ進みキーをキー収納部１２ｎに返却したかを判断する。キーを返却していないとステップＳ１１へ戻り、キーを返却すればステップＳ２０で居室ｎの侵入監視を開始する。
【００２３】
つまり、キーをキー収納部１２ｎに返却することは、居室ｎにいた居住者が外出することを意味するので、留守になった居室ｎの侵入監視を開始するものである。
【００２４】
Ｃ 侵入発生時の動作（図７）
ステップＳ２１で居室ｎの侵入センサ１ｎ（ｎはＡ〜Ｄ）が動作したかを判断する。動作していなければステップＳ１１へ戻り、動作すればステップＳ２２へ進む。ステップＳ２２では居室ｎに侵入が発生したことを、通信装置２１から電話回線２９を通じて警備会社へ自動通報する。通報を受けた警備会社の警備員はこの建物へ急行し、ステップＳ２３で警備員があらかじめ所持している専用キーで、スイッチ箱を解錠してふたを開き、緊急スイッチ１１をオンする。
【００２５】
これで、ステップＳ２４で通用口の扉８の電気錠３８が一時解錠される。ステップＳ２５で警備員が扉８を開いて建物内に入り、キー収納箱９の指紋リーダ１３で指紋をリードさせる。ステップＳ２６で警備員の指紋がリードできたかを判断する。リードできなければステップＳ２７で表示器１５にＮＧ表示をするとともに、ステップＳ２５へ戻る。リードできればステップＳ２８で表示器１５にＯＫ表示をし、ステップＳ２９で侵入居室番号ｎ、年月日時分及び警備員の指紋をＲＡＭ２４に記憶して、ステップＳ３０へ進む。
【００２６】
ステップＳ３０で警備員はテンキー１４を操作して、キー収納番号ｎを入力する。ステップＳ３１では入力されたキー収納番号ｎと侵入発生居室番号ｎとが一致しているかを判断し、不一致であればステップＳ３０へ戻り、一致していればステップＳ３２へ進む。ステップＳ３２で該当するキー収納部１２ｎのふたが開き、ステップＳ３３で警備員はキーを取り出して侵入発生居室ｎへ赴き、侵入に対応する処置を実行する。一方、ステップＳ３３で処置は終了となるとともに、ステップＳ３４で居室ｎの侵入監視は終了となり、ステップＳ１１へ戻る。
【００２７】
ここで、ステップＳ２３〜Ｓ２６，Ｓ３０〜Ｓ３２は緊急開放手段を、ステップＳ２９は緊急操作者情報記憶手段を構成している。
このようにして、侵入発生の場合、警備員に専用キーを所持させ、その専用キーでスイッチ箱を開いて緊急スイッチ１１を操作させ、この操作を指紋照合の代用とする。ただし、だれが操作したか調査可能なように、指紋をリード（照合はしない）してからでないと、キー収納部１２ｎのふたは開かないようにしている。
【００２８】
これで、居住者とは異なる警備員でも、緊急の場合侵入発生した居室ｎの扉のキーを取り出すことができ、遅れることなく侵入発生の居住室ｎへ向かうことが可能となる。
【００２９】
実施の形態２．
この発明の第４発明の一実施の形態である。
実施の形態１では、緊急信号発生器として緊急スイッチ１１を用いるものとしたが、これに限るものではなく、テンキー又は識別カードを用いるものであり、実施の形態１と同様の効果がある。
【００３０】
実施の形態３．
この発明の第２発明の一実施の形態である。
実施の形態１は、キー収納部１２Ａ〜１２Ｄに対する緊急開放に適用するものとしたが、建物又は居室１〜４の扉に対する緊急開放にも適用可能である。
すなわち、建物又は各居室１〜４の扉の近傍にそれぞれ指紋照合器１０及び緊急信号発生器１１を設置し、警備員が緊急信号発生器１１を操作した後に、警備員の指紋が入力されると、指紋照合とは関係なく建物又は居室１〜４の扉を開くとともに、操作した警備員の指紋及びその入力時点を記憶するようにしたものである。
【００３１】
実施の形態３は図７の一部を変更することにより容易に実施でき、居住者とは異なる警備員でも、緊急の場合、建物又は居室の扉を開くことが可能となる。
【００３２】
他の実施の形態
次のように実施することも可能である。
（１）  居室１〜４の扉ごとに指紋照合器１０を設置して、指紋照合によって居室１〜４の扉を開閉させるようにし、扉閉中は侵入監視を実行する形式の警備装置にも、通用口の扉８の近傍の緊急スイッチ１１を利用する。
【００３３】
（２）  実施の形態１では、キー収納箱９の指紋リーダ１３で指紋をリードするようにしたが、通用口でも指紋をリードして、警備員の指紋情報を記憶させる。また、通用口だけで指紋をリードして（キー収納箱９の指紋リーダ１３ではリードしない。）、警備員の指紋情報を記憶させる。
（３）  実施の形態１では、警備員の指紋を記憶するものとしたが、記憶するデータを特徴的なデータに限定して少なくするか、又は記憶しないようにする。
【００３４】
（４）  指紋以外に、網膜パターン、アイリス、声紋、署名等人体の特徴点データすなわちバイオメトリクス識別を利用する。
（５）  通用口には緊急スイッチ１１や指紋照合器１０を設置せず、自由に通行可能にする形式のものに適用する。
（６）  キー収納箱９が建物内に分散配置されている場合に適用する。
【００３５】
（７）  警備員の指紋情報及びその入力時点のデータを印字、表示又は他の記憶手段に記憶させ、後日分析できるようにする。
【００３６】
【発明の効果】
以上説明したとおりこの発明の第１発明では、緊急信号発生器が操作された後に、それを操作した人の人体の特徴点データが入力されると、その照合を実施せず、キー収納部のふたを開き、第２発明では、上記手順により建物又は居室の扉を開き、第３発明では、緊急信号発生器を緊急スイッチとし、第４発明では、同じくテンキー又は識別カードとしたものである。
【００３７】
これにより、居住者とは異なる警備員でも、緊急の場合居室の扉のキーを取り出したり、建物又は居室の扉を開いたりすることができ、侵入発生に際し速やかに対応することができる。
【００３８】
また、第５発明では、緊急信号発生器を操作した人が入力した人体の特徴点データ及びその入力時点を記憶するようにしたので、侵入発生に伴う対応の分析資料を得ることができる。
【００３９】
また、第６発明では、侵入センサが動作した建物又は居室に対してだけ、緊急開放するようにしたので、無用な緊急開放を防止することができる。
【図面の簡単な説明】
【図１】この発明の実施の形態１を示す建物の１階平面図。
【図２】この発明の実施の形態１を示す建物の側面断面図。
【図３】図１のキー収納箱の斜視図。
【図４】この発明の実施の形態１を示すブロック線図。
【図５】この発明の実施の形態１を示す通常時の入館動作フローチャート。
【図６】この発明の実施の形態１を示すキー収納箱の動作フローチャート。
【図７】図６の続きを示す動作フローチャート。
【符号の説明】
１〜４  居室、１Ａ〜４Ａ  侵入センサ、７  居室の扉、８  通用口の扉、９キー収納箱、１０  指紋照合器、１１  緊急信号発生器（緊急スイッチ）、１２Ａ〜１２Ｄ  キー収納部、１３  指紋リーダ、１４  テンキー、２４  ＲＡＭ、２６  ロック解除装置、Ｓ２３〜Ｓ２６，Ｓ３０〜Ｓ３２  緊急開放手段、Ｓ２９  緊急操作者情報記憶手段
【図１】
0003578328.tif 000002
【図２】
0003578328.tif 000003
【図３】
0003578328.tif 000004
【図４】
0003578328.tif 000005
【図５】
0003578328.tif 000006
【図６】
0003578328.tif 000007
【図７】
0003578328.tif 000008